(57)【特許請求の範囲】
【請求項１】
本体内に設けた燃焼部と、本体の背面パネルに設けられた空気取り入れ口と、該空気取り入れ口内に設けた対流ファンと、前記空気取り入れ口を覆うように背面パネルに取り付けられた背面フィルタとを備え、前記燃焼部からの燃焼ガスと空気取り入れ口から対流ファンにより取り入れた対流用空気とを混合して前面パネルに設けた温風吹出口より吹き出す温風暖房機に於いて、前記背面フィルタの上部両端には上部係止片が形成され、下部両端には爪部を有する下部係止片が形成されると共に、該下部係止片の間には下部支持片が形成され、前記背面パネルには、空気取り入れ口より上の位置に背面フィルタの上部係止片が差し込まれる上部係止孔が形成されると共に、空気取り入れ口より下の位置に背面フィルタの下部係止片が差し込まれる下部係止孔が形成されると共に、該下部係止孔同士の間に背面フィルタの下部支持片が差し込まれる下部支持孔が形成されていることを特徴とする温風暖房機。
【請求項２】
前記背面フィルタの上部係止片は略Ｌ字状に形成され、前記背面フィルタの下部係止片の爪部は略くさび状に形成され、前記背面パネルの上部係止孔と下部係止孔と下部支持孔は横方向に長い穴状に形成されると共に、前記上部係止片の高さを上部係止孔の高さより高く設け、背面フィルタを背面パネルに取り付けた時、下部係止片がその弾性力により背面フィルタを上方に押し上げるようにしたことを特徴とする請求項１記載の温風暖房機。
【発明の詳細な説明】
【技術分野】
【０００１】
この発明は、脱臭機能を付加した温風暖房装置に関するものである。
【背景技術】
【０００２】
従来からこの種のものに於いては、機器本体の背面板における空気吸込み口に対流用フィルターを着脱自在に取付けたものがあった。
前記空気吸込み口は本体ケースの背面板の燃焼室に対向した部分に多数の孔を四角形状に配列したところの、本体ケースの背面板における略半分位の面積にわたり構成され、対流用フィルターは合成樹脂の網目状のフィルターと合成樹脂または金属板等で形成した四角形状の枠で構成し、空気吸込み口に対向して本体ケースの背面板の空気吸込み口の外周に設けた凹状取付け部に着脱自在に取付け、空気吸込み口より本体ケース内の燃焼室等に流入する対流用空気に混入しているほこり等を濾過する。
【０００３】
そして、対流用フィルターは枠の上端に爪部と取っ手を設け、取っ手を手で持って斜め上方から背面板に設けた取付け孔に爪部を差し込んで取付け孔の縁を爪部と枠で挟み込み、かつ爪部の材料がもつ弾性力も加わった形態で着脱自在に取付けられているものである。（例えば、特許文献１）
【０００４】
また、脱臭フィルターを収納したフィルターカバーを機器本体の背面の空気吸込口に着脱自在に取付けたものとして、機器本体の背面の空気吸込口に複数のパンチング穴で形成された通気面部を形成したファンガードを設け、該ファンガードに形成された係止穴に、脱臭フィルターを収納したフィルターカバーの一側方に設けた係止脚を挿入して係止すると共に、他側方の弾性手段からなるバネ脚をファンガードの対応する係止穴に挿入して係止するものがあった。（例えば、特許文献２）
【先行技術文献】
【特許文献】
【０００５】
【特許文献１】特開２００４−１６２９３８号公報
【特許文献２】特開２００５−３２２９号公報
【発明の概要】
【発明が解決しようとする課題】
【０００６】
ところでこの従来のものでは、対流用フィルターや脱臭フィルターを収納したフィルターカバーを機器本体の背面板における空気吸込み口や機器本体の背面の空気吸込口に設けたファンガードに取り付ける時、弾性力を持つ材料からなる爪部や弾性手段からなるバネ脚が取付け孔や係止穴に係合することで取り付けるが、弾性力を持つ材料からなる爪部や弾性手段からなるバネ脚が破損したり、経材料の年劣化により弾性力が低下すると、充分に係合されない状態になって対流用フィルターや脱臭フィルターを収納したフィルターカバーが外れてしまうことがあった。
【０００７】
又、脱臭フィルターを収納したフィルターカバーを機器本体の背面の空気吸込口に着脱自在に取付けるものでは、脱臭フィルターを収納したフィルターカバーをファンガードに取り付けても、ファンガードに形成されたパンチング穴から流入する対流用空気に混入しているほこり等を濾過することはなく、ァンガードに形成されたパンチング穴にほこり等が詰まってしまうことがあった。
【課題を解決するための手段】
【０００８】
この発明はこの点に着目し上記課題を解決する為、特にその構成を請求項１では、本体内に設けた燃焼部と、本体の背面パネルに設けられた空気取り入れ口と、該空気取り入れ口内に設けた対流ファンと、前記空気取り入れ口を覆うように背面パネルに取り付けられた背面フィルタとを備え、前記燃焼部からの燃焼ガスと空気取り入れ口から対流ファンにより取り入れた対流用空気とを混合して前面パネルに設けた温風吹出口より吹き出す温風暖房機に於いて、前記背面フィルタの上部両端には上部係止片が形成され、下部両端には爪部を有する下部係止片が形成されると共に、該下部係止片の間には下部支持片が形成され、前記背面パネルには、空気取り入れ口より上の位置に背面フィルタの上部係止片が差し込まれる上部係止孔が形成されると共に、空気取り入れ口より下の位置に背面フィルタの下部係止片が差し込まれる下部係止孔が形成されると共に、該下部係止孔同士の間に背面フィルタの下部支持片が差し込まれる下部支持孔が形成されているものである。
【０００９】
又請求項２に係る温風暖房機では、特にその構成を請求項１に於いて、前記背面フィルタの上部係止片は略Ｌ字状に形成され、前記背面フィルタの下部係止片の爪部は略くさび状に形成され、前記背面パネルの上部係止孔と下部係止孔と下部支持孔は横方向に長い穴状に形成されると共に、前記上部係止片の高さを上部係止孔の高さより高く設け、背面フィルタを背面パネルに取り付けた時、下部係止片がその弾性力により背面フィルタを上方に押し上げるようにしたものである。
【発明の効果】
【００１０】
この発明の請求項１によれば、背面フィルタの上部は、上部係止片が上部係止孔から抜けない状態であり、又、背面フィルタの下部は、下部係止片の爪部が下部係止孔から抜けない状態状態となって、背面フィルタが背面パネルから外れるのを防止できるものである。
【００１１】
又、背面フィルタを背面パネルに取り付けた時、背面フィルタの自重が下部係止片だけに掛からずに下部支持片にも分散して掛かるので、背面フィルタの自重が長期間掛かることで下部係止片の爪部が変形したり破損したりするのを防止できるものである。
【００１２】
又本発明の請求項２に記載の温風暖房機によれば、背面フィルタの上部は、上部係止片が上部係止孔の上部分に押しつけられて上部係止孔から抜けない状態であり、又、背面フィルタの下部は、下部係止片のくさび状の爪部が下部係止孔の下部分に押しつけられて背面フィルタを上に押し上げるように作用し、下部係止片が下部係止孔から抜けない状態となって、背面フィルタが背面パネルから外れるのを防止できるものである。
【００１３】
又、下部係止片の爪部が破損したり、経年劣化等により下部係止片の弾性力が低下して背面フィルタを上に押し上げる力が弱くなった状態になっても、上部係止片の上部係止孔に差し込まれている部分の高さが上部係止孔の高さより高いので、背面フィルタが下に移動しても上部係止片が上部係止孔から抜けることがなく、背面フィルタが背面パネルから外れるのを防止できるものである。
【図面の簡単な説明】
【００１４】
【図１】この発明の一実施形態を示す温風暖房機の正面図。
【図２】同側面図。
【図３】同背面図。
【図４】同背面フィルタの正面図。
【図５】同側面図。
【図６】同背面図。
【図７】同上部係止片と上部係止孔の係合状態を示す要部断面図。
【図８】同下部係止片と下部係止孔の係合状態を示す要部断面図。
【図９】同下部支持片と下部支持孔の係合状態を示す要部断面図。
【発明を実施するための形態】
【００１５】
次に、本発明に係る発明の１実施形態を図面に基づいて説明する。
１はシャッタモータ（図示せず）により昇降するシャッタで、本体２の前面パネル３に設けたグリル（図示せず）により形成された温風吹出口（図示せず）を、前面パネル３とグリルの間で昇降することにより開閉するものである。
【００１６】
４は本体２の前面パネル３の上面部分に設けた操作部で、本体２内の燃焼部（図示せず）にて燃焼を行い、その燃焼ガスと対流用空気を混合した温風を温風吹出口より吹き出す暖房運転のオン・オフを行う運転スイッチ（図示せず）や温度設定ボタン（図示せず）を備え、５は本体２の前面パネル３上部に設けた表示部で、設定温度や検知した室温、時刻等表示するものである。
【００１７】
６は本体２の背面パネル７に設けられた空気取り入れ口（図示せず）を覆うように着脱自在に取り付けられた背面フィルタで、合成樹脂からなる略有底状の枠体８と、該枠体８の上部内側に取り付けられる脱臭フィルタ９からなるものである。
【００１８】
前記枠体８の略有底状の部分の上部は、合成樹脂からなる格子状の脱臭用通気孔１０が多数形成されると共に、枠体８の略有底状の部分の中央部から下部にかけては大開口部１１が複数形成され、該大開口部１１には目の細かいフィルタネット１２が取り付けられているものである。
【００１９】
これにより本体２の背面パネル７の空気取り入れ口に背面フィルタ６を取り付けた状態で暖房運転を開始すると、空気取り入れ口内に設けた対流ファン（図示せず）が回転して対流用空気を空気取り入れ口からに取り入れる時、空気取り入れ口より本体２内の燃焼部等に流入する対流用空気に混入しているほこり等を、背面フィルタ６の中央部から下部にかけて形成した大開口部１１に取り付けたフィルタネット１２が濾過するものである。
【００２０】
又、暖房運転を停止すると対流ファンが停止し、臭い成分を含んだ温風が背面パネル７の空気取り入れ口上部から本体２外に流出するので、その臭い成分を含んだ温風を背面フィルタ６の上部内側に取り付けられた脱臭フィルタ９にて脱臭するものである。
【００２１】
又前記枠体８の上部両端には略Ｌ字状の上部係止片１３が形成され、枠体８の下部両端には先端が略くさび状の爪部１４を有する下部係止片１５が形成されると共に、該下部係止片１５の間には下部支持片１６が形成されているものである。
【００２２】
又前記背面パネル７には、空気取り入れ口より上の位置に背面フィルタ６の上部係止片１３が差し込まれる横方向に長い穴状の上部係止孔１７が形成されると共に、空気取り入れ口より下の位置に背面フィルタ６の下部係止片１５が差し込まれる横方向に長い穴状の下部係止孔１８が形成され、該下部係止孔１８同士の間に背面フィルタ６の下部支持片１６が差し込まれる横方向に長い穴状の下部支持孔１９が形成されているものである。
【００２３】
又前記脱臭フィルタ９は、特殊紙をコルゲート加工したハニカム形状フィルターを、酸化チタン：アセトアルデヒド吸着剤：ゼオライト＝８：３：３７の配合液に浸した光再生触媒からなるものである。
【００２４】
次にこの背面フィルタ６の取り付け方法について説明する。
まず、背面フィルタ６を傾けた状態で背面パネル７の上部係止孔１７に背面フィルタ６の上部係止片１３を差し込み、差し込んだ状態で背面フィルタ６をまっすぐにすると、背面パネル７の下部係止孔１８の位置に背面フィルタ６の下部係止片１５が位置すると共に、背面パネル７の下部支持孔１９の位置に背面フィルタ６の下部支持片１６が位置する。
【００２５】
この状態で背面フィルタ６の下部を押すと、下部係止孔１８にくさび状の爪部１４が当接している下部係止片１５が弾性変形して、図８のように下部係止孔１８に下部係止片１５が差し込まれると共に、図９のように下部支持孔１９に下部支持片１６が差し込まれる。
【００２６】
この状態で、差し込む際に弾性変形した下部係止片１５が元の状態に戻って、図８のように背面フィルタ６を上方に押し上げるように作用するので、上部係止孔１７に差し込まれた上部係止片１３は、図７のように上部係止孔１７の上部分と当接するものである。
【００２７】
これにより背面フィルタ６の上部は、上部係止片１３が上部係止孔１７の上部分に押しつけられて上部係止孔１７から抜けない状態であり、又、背面フィルタ６の下部は、下部係止片１５のくさび状の爪部１４が下部係止孔１８の下部分に押しつけられて背面フィルタ６を上に押し上げるように作用し、下部係止片１５が下部係止孔１８から抜けない状態となって、背面フィルタ６が背面パネル７に取り付けられるものである。
【００２８】
又、この時背面フィルタ６の自重が下部係止片１５だけに掛からずに下部支持片１６にも分散して掛かるので、背面フィルタ６の自重が長期間掛かることで下部係止片１５の爪部１４が変形するのを防止できるものである。
【００２９】
次に下部係止片１５の爪部１４が破損したり、経年劣化等により下部係止片１５の弾性力が低下して背面フィルタ６を上に押し上げる力が弱くなった状態を説明する。
この場合、下部係止片１５のくさび状の爪部１４が下部係止孔１８の下部分に押しつけられて背面フィルタ６を上に押し上げるように作用しなくなり、背面フィルタ６の自重が背面フィルタ６を下に押し下げるように作用するが、下部支持孔１９に下部支持片１６が差し込まれていると共に、上部係止片１３の上部係止孔１７に差し込まれている部分の高さＡが上部係止孔１７の高さＢより高いので、背面フィルタ６が下に移動しても上部係止片１３が上部係止孔１７から抜けることがない。
【００３０】
それにより、下部係止片１５の爪部１４が破損したり、経年劣化等により下部係止片１５の弾性力が低下して背面フィルタ６を上に押し上げる力が弱くなった状態でも、上部係止孔１７から抜けない上部係止片１３と、下部支持孔１９に差し込まれている下部支持片１６とにより背面フィルタ６を支持して背面フィルタ６が背面パネル７から外れるのを防止するものである。
【符号の説明】
【００３１】
２  本体
６  背面フィルタ
７  背面パネル
１３  上部係止片
１４  爪部
１５  下部係止片
１６  下部支持片
１７  上部係止孔
１８  下部係止孔
１９  下部支持孔
【図１】
0005468492.tif 000002
【図２】
0005468492.tif 000003
【図３】
0005468492.tif 000004
【図４】
0005468492.tif 000005
【図５】
0005468492.tif 000006
【図６】
0005468492.tif 000007
【図７】
0005468492.tif 000008
【図８】
0005468492.tif 000009
【図９】
0005468492.tif 000010